(57)【要約】【課題】  １つのテレビジョン信号送信器によって多数チャンネルのテレビジョン信号を一度に送出できるようにする。【解決手段】  テレビジョン放送帯域よりも低いテレビジョンチャンネル信号を前記テレビジョン放送帯域よりも高い第１中間周波信号に変換する第１の周波数変換回路３と、第１中間周波信号をテレビジョン放送帯域に変換して出力する第２の周波数変換回路６とを備え、第１の周波数変換回路の前段には入力されたテレビジョンチャンネル信号を増幅する入力増幅回路１を設けると共に、第１の周波数変換回路３と第２の周波数変換回路６との間に帯域通過フィルタ４を設け、入力増幅回路１の帯域と帯域通過フィルタ４の帯域とを、連続する複数チャンネル分伝送可能な帯域とした。【選択図】        図１
2006128814.tif 000002
【特許請求の範囲】
【請求項１】
テレビジョン放送帯域よりも低いテレビジョンチャンネル信号を前記テレビジョン放送帯域よりも高い第１中間周波信号に変換する第１の周波数変換回路と、前記第１中間周波信号を前記テレビジョン放送帯域に変換して出力する第２の周波数変換回路とを備え、入力端から出力端までの間の通過帯域を、連続する複数チャンネル分伝送可能な帯域としたことを特徴とするテレビジョン信号送信器。
【請求項２】
前記第１の周波数変換回路の前段にレベル可変手段を設け、前記第１の周波数変換回路に入力される前記テレビジョンチャンネル信号のレベルを検出してＡＧＣ電圧を発生すると共に、前記ＡＧＣ電圧によって前記第１の周波数変換回路に入力される前記テレビジョンチャンネル信号のレベルを一定とするように前記レベル可変手段を制御するＡＧＣ回路と、前記レベル可変手段の前段側における前記テレビジョンチャンネル信号のレベルを検出して前記入力増幅回路に入力されている前記テレビジョンチャンネル信号のチャンネル数を判別する入力チャンネル数判別手段とを設け、前記チャンネル数に対応して前記ＡＧＣ電圧を切り変えたことを特徴とする請求項１に記載のテレビジョン信号送信器。
【請求項３】
前記テレビジョンチャンネル信号を、テレビジョンシステムの中間周波帯の低域側に隣接する１チャンネル分の帯域よりも高域側に配置したことを特徴とする請求項１又は２に記載のテレビジョン信号送信器。
【発明の詳細な説明】
【技術分野】
【０００１】
本発明は、ＣＡＴＶシステム等の送信側で使用されて、テレビジョン信号を送出するにテレビ信号送信器に関する。
【背景技術】
【０００２】
図３は、従来のテレビ信号送信器の一部を示すものであり、送信する番組を送るチャンネル毎に設けられている。中間周波回路４１には、図示しない変調器等が備えられており、送信する番組の映像信号Ｖによって映像中間周波搬送波（米国では４５．７５ＭＨｚ）を変調し、映像中間周波信号が出力される。また、音声信号Ｓも所定の処理によって、映像中間周波信号から４．５ＭＨｚ離れた（４１．２５ＭＨｚ）音声中間周波信号に位置して搬送されるようになっている。なお、中間周波回路４１から出力される映像中間周波信号と音声中間周波信号とを含む中間周波信号を、以降の説明の都合上第一の中間周波信号と呼ぶことにする。
【０００３】
中間周波回路４１からの第一の中間周波信号は、第一の混合回路４２に入力され、ここで、第一の局部発振回路４３からの発振信号と混合されることによってほぼ１．３ＧＨｚの第二の中間周波信号に周波数変換される。従って、第一の混合回路４２と第一の局部発振回路４３とで第一の周波数変換回路４４を構成している。第一の混合回路４２からの第二の中間周波信号は、所定の帯域幅（ほぼ６ＭＨｚ）を有するバンドパスフィルタ４５を通過した後に第二中間周波増幅回路４６で所定のレベルに増幅され、次の第二の混合回路４７に入力され、この第二の混合回路４７において第二の局部発振回路４８からの発振信号と混合されて第三の中間周波信号に周波数変換される。従って、第二の混合回路４７と第二の局部発振回路４８とで第二の周波数変換回路４９を構成している。
【０００４】
ここで、第三の中間周波信号の周波数は、送信する番組毎に異なり、ほぼ５０ＭＨｚから１ＧＨｚまでの間に設定されている各チャンネルの周波数のいずれかに合わせるように第二の局部発振回路４８の発振周波数が設定されている。そして、第二の混合回路４７からの第三の中間周波信号は、第三中間周波増幅回路５０、５１で所定の利得を与えられた後バンドパスフィルタ５２、出力増幅回路５３を介して導出され、図示しない混合回路において、他の送信回路図から同様に導出された第三の中間周波信号と混合されて図示しないケ−ブルに送られるようになっている（例えば、特許文献１参照。）。
【０００５】
【特許文献１】特開平１０−３０４２５７（図６）
【発明の開示】
【発明が解決しようとする課題】
【０００６】
上記テレビジョン信号送信器は、送信すべき１つのチャンネル毎に設けられる。即ち、中間周波回路からは１つのチャンネルの中間周波信号がミキサに入力される。このため、ＣＡＴＶシステムの送信元には送信すべきチャンネルの数に対応して多数のテレビジョン送信器を設ける必要があり、設備費用が多額になるという問題があった。また、多数のテレビジョン送信器を備えることで消費電力を増加するという問題があった。
【０００７】
本発明は、１つのテレビジョン信号送信器によって多数チャンネルのテレビジョン信号を一度に送出できるようにすることを目的とする。
【課題を解決するための手段】
【０００８】
上記課題に対する第１の解決手段として、テレビジョン放送帯域よりも低いテレビジョンチャンネル信号を前記テレビジョン放送帯域よりも高い第１中間周波信号に変換する第１の周波数変換回路と、前記第１中間周波信号を前記テレビジョン放送帯域に変換して出力する第２の周波数変換回路とを備え、入力端から出力端までの間の通過帯域を、連続する複数チャンネル分伝送可能な帯域とした。
【０００９】
また、第２の解決手段として、前記第１の周波数変換回路の前段にレベル可変手段を設け、前記第１の周波数変換回路に入力される前記テレビジョンチャンネル信号のレベルを検出してＡＧＣ電圧を発生すると共に、前記ＡＧＣ電圧によって前記第１の周波数変換回路に入力される前記テレビジョンチャンネル信号のレベルを一定とするように前記レベル可変手段を制御するＡＧＣ回路と、前記レベル可変手段の前段側における前記テレビジョンチャンネル信号のレベルを検出して前記入力増幅回路に入力されている前記テレビジョンチャンネル信号のチャンネル数を判別する入力チャンネル数判別手段とを設け、前記チャンネル数に対応して前記ＡＧＣ電圧を切り変えた。
【００１０】
また、第３の解決手段として、前記テレビジョンチャンネル信号を、テレビジョンシステムの中間周波帯の低域側に隣接する１チャンネル分の帯域よりも高域側に配置した。
【発明の効果】
【００１１】
第１の解決手段によれば、テレビジョン放送帯域よりも低いテレビジョンチャンネル信号をテレビジョン放送帯域よりも高い第１中間周波信号に変換する第１の周波数変換回路と、第１中間周波信号をテレビジョン放送帯域に変換して出力する第２の周波数変換回路とを備え、入力端から出力端までの間の通過帯域を、連続する複数チャンネル分伝送可能な帯域としたので、同時に多数のチャンネルのテレビジョン信号を送出できる。
【００１２】
また、第２の解決手段によれば、第１の周波数変換回路の前段にレベル可変手段を設け、第１の周波数変換回路に入力されるテレビジョンチャンネル信号のレベルを検出してＡＧＣ電圧を発生すると共に、ＡＧＣ電圧によって第１の周波数変換回路に入力されるテレビジョンチャンネル信号のレベルを一定とするようにレベル可変手段を制御するＡＧＣ回路と、レベル可変手段の側におけるテレビジョンチャンネル信号のレベルを検出して入力増幅回路に入力されているテレビジョンチャンネル信号のチャンネル数を判別する入力チャンネル数判別手段とを設け、チャンネル数に対応してＡＧＣ電圧を切り変えたので、入力されるテレビジョンチャンネル信号の数の多寡に関わりなく、テレビジョン放送帯域に送出される各チャンネル信号のレベルを一定にすることができる。
【００１３】
また、第３の解決手段によれば、テレビジョンチャンネル信号を、テレビジョンシステムの中間周波帯の低域側に隣接する１チャンネル分の帯域よりも高域側に配置したので、第１の局部発振信号は帯域通過フィルタを通過し難くなって妨害信号を抑圧できる。
【発明を実施するための最良の形態】
【００１４】
本発明のテレビジョン信号送信器の構成を図１に従って説明する。図１に示すように、入力増幅回路１の次段にはレベル可変手段２が設けられ、レベル可変手段２の次段には第１の周波数変換回路３が設けられ、第１の周波数変換回路３の次段には帯域通過フィルタ４が設けられ、帯域通過フィルタ４の次段には第１中間周波増幅回路５が設けられ、第１中間周波増幅回路５の次段には第２の周波数変換回路６が設けられ、第２の周波数変換回路６の次段には出力増幅回路７が設けられる。
【００１５】
入力増幅回路１にはテレビジョン放送帯域よりも周波数が低いテレビジョンチャンネル信号、例えば、テレビジョンシステムの中間周波帯の信号（中間周波信号）と中間周波帯の高域側と低域側に同じ帯域幅で連続する複数のテレビジョンチャンネル信号が入力されるので、入力増幅回路１は中間周波帯域を含む連続した複数チャンネル分の伝送帯域を有している。入力されるテレビジョンチャンネル信号のレベルは何れもほぼ等しい。入力増幅回路１から出力されるテレビジョンチャンネル信号はレベル可変手段２によって一定レベルに制御されて第１の周波数変換回路３の第１の混合回路３ａに入力される。レベル可変手段２は、例えば、可変減衰回路で構成される。
【００１６】
第１の混合回路３ａに入力されたテレビジョンチャンネル信号は、第１の局部発振回路３ｂからの第１の局部発振信号と混合され、互いの周波数の和に等しい第１中間周波信号に周波数変換される。第１の局部発振回路の発振周波数はテレビジョン放送帯域よりも高く設定されているので、第１中間周波信号の周波数はテレビジョン放送帯域よりも高くなる。
【００１７】
第１中間周波信号は帯域通過フィルタ４を介して第１中間周波増幅回路５に入力されるが、帯域通過フィルタ４は連続する複数チャンネル分の通過帯域を有し、第１中間周波増幅回路５もそれに対応した帯域の伝送特性を有している。増幅された第１中間周波信号は第２の周波数変換回路６の第２の混合回路６ａに入力される。ここで、第２の局部発振回路６ｂからの第２の局部発振信号と混合され、互いの周波数の差に等しい第２中間周波信号に周波数変換される。
【００１８】
第２の局部発振回路６ｂは第１中間周波信号よりも高い周波数で発振するが、第２中間周波信号をテレビジョン放送帯域内の任意のチャンネルに変換するために、第２の局部発振回路６ｂの発振周波数は可変となっている。第２中間周波信号は出力増幅回路７を介して図示しないＣＡＴＶケーブルに送出される。
【００１９】
テレビジョン信号送信器においては、出力する第２中間周波信号の歪み特性やＣ／Ｎ比を良好に保つために、第１の周波数変換回路３に入力されるテレビジョンチャンネル信号のレベルを一定値にする必要がある。そのために、第１の周波数変換回路３に入力されるテレビジョンチャンネル信号のレベルを検出してＡＧＣ電圧を発生させ、このＡＧＣ電圧によってレベル可変手段を制御するＡＧＣ回路８が設けられる。ＡＧＣ回路８は第１のレベル検出手段８ａと差動増幅回路８ｂとから構成されるが、第１のレベル検出手段８ａによって検出されるレベルは入力されるテレビジョンチャンネル信号の数（チャンネル数）によって異なり、チャンネル数が多くなると大きなＡＧＣによってレベル可変手段２が制御されるので、このままでは、チャンネル数が多くなると各チャンネルの第２中間周波信のレベルが変化（低下）する。
【００２０】
そこで、この弊害を無くすために、入力チャンネル数判別手段９を設け、入力チャンネル数に対応してＡＧＣ電圧を切り替えるようにしている。すなわち、入力チャンネル数判別手段９は、レベル可変手段２よりも前段側におけるテレビジョンチャンネル信号のレベルを検出するための第２のレベル検出９ａと検出したレベルの大きさから入力チャンネル数を判定する判定手段を有する。検出したレベルは入力チャンネル数に比例することから判定が可能である。また、ＡＧＣ回路８の差動増幅回路８ｂに入力する複数の基準電圧源１０（Ｅ１、Ｅ２、、）と、この基準電圧源１０を切り替えて差動増幅回路８ｂに供給する切替手段１１を設ける。そして、入力チャンネル数が多くなってもＡＧＣ電圧が低くなりすぎないように高い電圧の基準電圧を差動増幅回路８ｂに供給するようにしている。こうすることによって、入力されるテレビジョンチャンネル信号の数の多寡に関係なく、第２中間周波信号のレベルは出力されるチャンネル毎に一定となる。
【００２１】
図２は入力されるテレビジョンチャンネル信号（ＩＦ）と第１中間周波信号（１ｓｔ／ＩＦ）と第１の局部発振信号（Ｌｏ１）と第２中間周波信号（２ｎｄ／ＩＦ）と第２の局部発振信号（Ｌｏ２）との周波数関係図である。
【００２２】
例えば、図２のように、４チャンネル分のテレビジョンチャンネル信号（ＩＦ）を入力すると、これらは第１の局部発振信号の周波数分だけ高い方に周波数シフトして第１中間周波信号（１ｓｔ／ＩＦ）に変換され、４チャンネル分の第１中間周波信号は帯域通過フィルタ４を通過する。このとき、第１中間周波信号における最も低域側のチャンネル（１ｓｔ／ＩＦ／Ｌｏｗ）のバンドエッジ周波数と第１の局部発振信号の周波数との差があまりに小さいと、第１の局部発振信号が帯域通過フィルタ４によって除去しきれずに第２の周波数変換回路６に入力される。そして、第２の局部発振信号との相互干渉によって妨害信号を出力するおそれがある。
【００２３】
第１の局部発振信号を帯域通過フィルタ４によって除去するためには最も低域側のチャンネルのバンドエッジ周波数と第１の局部発振信号の周波数との差を大きくすれば問題がないが、帯域通過フィルタ４の周波数と第２の局部発振回路６ｂの発振周波数が高くなって不利となる。そこで、テレビジョンシステムの中間周波帯（ＩＦ／Ｓｔｄ）（各国によって決まっている）の低域側に隣接して１チャンネル分の帯域（ＩＦ／Ｌｏｗ）を設け、この帯域よりも高域側に複数のテレビジョン信号のチャンネル帯域を設けるようにすれば、帯域通過フィルタ４の周波数と第２の局部発振回路６ｂの発振周波数とをあまり高くすることなく、帯域通過フィルタ４によって第１の局部発振信号も除去できる。
【００２４】
なお、本発明の説明においては、テレビジョン信号の種別については特に限定をしなかったが、アナログテレビジョン信号はもとより、デジタルテレビジョン信号にも適用できることは勿論である。
【図面の簡単な説明】
【００２５】
【図１】本発明のテレビジョン信号送信器の構成を示す回路図である。
【図２】本発明のテレビジョン信号送信器における周波数関係図である。
【図３】従来のテレビジョン信号送信器の構成を示す回路図である。
【符号の説明】
【００２６】
１：入力増幅回路
２：レベル可変手段
３：第１の周波数変換回路
３ａ：第１の混合回路
３ｂ：第１の局部発振回路
４：帯域通過フィルタ
５：第１中間周波増幅回路
６：第２の周波数変換回路
６ａ：第２の混合回路
６ｂ：第２の局部発振回路
７：出力増幅回路
８：ＡＧＣ回路
８ａ：第１の検出手段
８ｂ：差動増幅回路
９：入力チャンネル数判別手段
９ａ：第２の検出手段
９ｂ：判定手段
１０：基準電圧源
１１：切替手段
【図１】
2006128814.tif 000003
【図２】
2006128814.tif 000004
【図３】
2006128814.tif 000005